(57)【要約】【課題】カメラヘッドがカメラ本体に装着されたとき、または使用中においても接続用の接点チェックが行なえるとともに、ユーザに対しクリーニングを促すことができるカメラシステムを提供する。【解決手段】  カメラヘッド１ａがカメラ本体１ｂに装着されたときに接点チェックを初期化処理として行なう。カメラ本体１ｂ側の本体ＣＰＵ１００ｂが、３線シリアルドライバにより駆動される３線シリアルインターフェースを使ってテスト信号の送信要求を送信し、ヘッドＣＰＵ１９ａに信号切替部１１１の切替を行なわせてテスト信号発生部１１０が発生しているテスト信号をカメラ本体１ｂへ供給させる。本体ＣＰＵ１００ｂは、そのテスト信号を受けてインターフェースの接点チェックを行なう。【選択図】  図２
2006261989.tif 000002
【特許請求の範囲】
【請求項１】
撮影光学系と撮像素子を備えたカメラヘッドと、該カメラヘッドとの間で信号の入出力を行なうインターフェースを介して該カメラヘッドから画像信号を受け取るカメラ本体とを備えたカメラシステムにおいて、
前記カメラヘッドが、前記カメラヘッドが前記カメラ本体に装着された状態にあるときに、該カメラヘッドから前記インターフェースを介して該カメラ本体側へテスト信号を供給するテスト信号発生部を有するものであり、
前記カメラ本体が、前記カメラヘッドから前記インターフェースを介して送られてくるテスト信号を受信する受信部と、前記受信部で受信したテスト信号の受信状態に応じて前記インターフェースが正常に機能しているか否かを判定する判定部と、該判定部による判定結果をユーザに向けて通知する通知部とを備えたものであることを特徴とするカメラシステム。
【請求項２】
前記カメラヘッドが、撮像素子で得られた画像信号と前記テスト信号発生部で発生させたテスト信号とを切り替えて前記インターフェースに伝える信号切替部を備えたことを特徴とする請求項１記載のカメラシステム。
【請求項３】
前記テスト信号発生部は、前記カメラヘッドが前記カメラ本体に装着されたことを受けて該カメラ本体側へテスト信号を供給するものであることを特徴とする請求項１記載のカメラシステム。
【発明の詳細な説明】
【技術分野】
【０００１】
本発明は、撮影光学系と撮像素子を備えたカメラヘッドと、そのカメラヘッドが着脱自在に装着されそのカメラヘッドから画像信号を受け取って信号処理を行なうカメラ本体とを備えたカメラシステムに関する。
【背景技術】
【０００２】
近年、内部に制御用のマイクロコンピュータを備えた装置にあっては、書き換え自在なＲＯＭ例えばＥＥＰＲＯＭを装置内に配備するようにして一々ＲＯＭの交換をせずに書換ツール例えばパーソナルコンピュータなどを接続してプログラムの書き換えを行なえるようにしているものが多い。このような装置の場合には、外部に露出されている、書換ツールを接続する接続用端子に書換ツールを接続することによりＥＥＲＰＯＭ内のプログラムの書き換えが行なわれる。この接続用の接点が外部に露出されると塵埃等が付いて接触不良が起こることが予想されるので、接続用の接点に書換ツールを接続してプログラムの書換を行なおうとするときにはＥＥＰＲＯＭ内の検査用のプログラムを起動してその接続用の接点のチェックを行なうようにしているものもある（例えば特許文献１参照）。
【０００３】
ところで、撮像素子と撮影光学系が一体的になったプラグインユニットがカメラ本体に装着されると、そのプラグインユニットの情報がカメラ本体側に伝達されて、そのプラグインユニットが備える撮影光学系で撮影を行なうことができるようになるカメラシステムが提案されている（特許文献２参照）。このようにプラグインユニットがカメラ本体に装着されるだけで撮影光学系つまり撮影レンズの交換が行なわれるカメラシステムが実現されると、カメラシステムの取り扱いが非常に簡単になり、専門的な知識を持たない人にでも簡単に撮影レンズの交換を行なって貰うことができる。同様なものに、撮影光学系と撮像素子を備えたカメラヘッドと、カメラヘッドが着脱自在に装着されカメラヘッドから画像信号を受け取って信号処理を行なうカメラ本体とを備えたカメラシステムがある（例えば特許文献３参照）。
【０００４】
前述の如くこのようなカメラシステムは、いままで交換レンズを用いていた熟練者に限らず、撮影に不慣れな初心者までを含めた幅広い需要が見込まれている。しかし交換レンズを用いていた熟練者にあっては、カメラヘッドをカメラ本体に装着する前にカメラヘッドとカメラ本体との双方にある接点部をクリーニングすることが当たり前のことであっても、初心者にあっては接点部のクリーニングを行なわなくても装着しさえすればいつでも撮影することができると思っている人が多い。そういった初心者に近いユーザが撮影操作を行なった後になってから接点にゴミが付着して接触不良になっていたことに気付くことがある。また、使用中においても接触不良は起こることがある。
【特許文献１】特開平９−１９７４６４号公報
【特許文献２】特開平８−１７２５６１号公報
【特許文献３】特開２０００−１７５０８９号公報
【発明の開示】
【発明が解決しようとする課題】
【０００５】
本発明は、上記事情に鑑み、カメラヘッドがカメラ本体に装着されたとき、または使用中においても接続用の接点チェックが行なえるカメラシステムを提供することを目的とする。
【課題を解決するための手段】
【０００６】
上記目的を達成する本発明のカメラシステムは、撮影光学系と撮像素子を備えたカメラヘッドと、そのカメラヘッドとの間で信号の入出力を行なうインターフェースを介して該カメラヘッドから画像信号を受け取るカメラ本体とを備えたカメラシステムにおいて、
上記カメラヘッドが、上記カメラヘッドが前記カメラ本体に装着された状態にあるときに、そのカメラヘッドから上記インターフェースを介してそのカメラ本体側へテスト信号を供給するテスト信号発生部を有するものであり、
上記カメラ本体が、上記カメラヘッドから上記インターフェースを介して送られてくるテスト信号を受信する受信部と、上記受信部で受信したテスト信号の受信状態に応じて上記インターフェースが正常に機能しているか否かを判定する判定部と、その判定部による判定結果をユーザに向けて通知する通知部とを備えたものであることを特徴とする。
【０００７】
上記本発明のカメラシステムによれば、上記カメラヘッドが上記カメラ本体に装着されたときを含めてカメラヘッドがカメラ本体に装着された状態にあるときに、上記カメラヘッドの上記テスト信号発生部から上記カメラ本体に向けて上記テスト信号が供給され、そのテスト信号を受けてカメラ本体側の上記判定部が上記インターフェースが正常に機能しているか否かが判定される。この判定部の判定により上記インターフェースが正常に機能していない旨の判定がくだされた場合には、上記通知部により‘クリーニングをして下さい’などの通知が音声あるいは表示等を用いてユーザに向けて行われる。
【０００８】
すなわち、上記カメラヘッドが上記カメラ本体に装着されたとき、または使用中においても接続用の接点チェックが行なえるカメラシステムが実現される。
【０００９】
また、上記インタフェースの接触不良が検出された場合には、ユーザに対しクリーニングを促すことができるカメラシステムも実現される。
【００１０】
ここで、上記カメラヘッドが、撮像素子で得られた画像信号と上記テスト信号発生部に発生させたテスト信号とを切り替えて上記インターフェースに伝える信号切替部を備えた態様であることが好ましい。
【００１１】
そうすると、上記カメラヘッドから上記カメラ本体へ画像信号を伝えるインターフェース内の接点部の接触不良が検出される。その結果、画像信号の伝送不良の発生が著しく低減される。
【００１２】
上記テスト信号発生部は、上記カメラヘッドが上記カメラ本体に装着されたことを受けてそのカメラ本体側へテスト信号を供給するものであることが好ましい。
【００１３】
上記したようにカメラ本体に様々なカメラヘッドが装着されて使用されることが想定されるので、上記のように上記カメラヘッドが上記カメラ本体に装着されたことを受けてそのカメラ本体側へテスト信号を供給するものであると、上記カメラヘッドが上記カメラ本体に装着されたときに接触不良がチェックされるようになる。
【００１４】
そうすると、上記本発明のカメラシステムにおいては音声や表示によりユーザに対しクリーニングを促すことができるため、このカメラシステムを使って撮影を行なおうとしているときに、言い換えれば撮影前の段階でユーザに対してクリーニングを促すことができる。
【発明の効果】
【００１５】
以上、説明したように、カメラヘッドがカメラ本体に装着されたとき、および使用中においても接続用の接点チェックが行なえるカメラシステムが実現される。
【発明を実施するための最良の形態】
【００１６】
以下、本発明の実施の形態について説明する。
【００１７】
図１は、本発明の一実施形態であるカメラシステムを示す図である。
【００１８】
図１を参照してまず本実施形態のカメラシステムの外観を説明する。
【００１９】
図１に示すように本実施形態のカメラシステム１は、撮影光学系と撮像素子を備えたカメラヘッド１ａと、そのカメラヘッド１ａとの間で信号の入出力を行なうインターフェースを介してそのカメラヘッド１ａから画像信号を受け取るカメラ本体１ｂとを備えている。図１には、複数の、撮影光学系と撮像素子を備えたカメラヘッド１ａと、それらのカメラヘッド１ａのうちのいずれかが着脱自在に装着されるカメラ本体１ｂとが別々に示されている。なお、本実施形態のカメラシステム１においては、複数のカメラヘッド１ａ〜ｎａそれぞれが、すべて後述するテスト信号発生部を有していて、いずれかがカメラ本体に装着されたときにそのテスト信号発生部から画像信号転送用の高速インターフェース（後述する）を通してカメラ本体に向けてテスト信号が供給されるようになっているとして以降説明する。何故ならこのようなカメラシステムにおいては、高画素の撮像素子で生成した大容量の画像信号を如何にして高速インターフェースを通してカメラ本体に短時間のうちに送信するかが重要であり、送信時間を短くしようとしてフレームレートを高速にすればするほど双方のマウント部１０ａ，１０ｂ内の高速インターフェースが有するいくつかの接点が少しでも汚れていると画像データが正しく送信されなくなるからである。本実施形態のカメラシステム１においては、上記高速インターフェースのほか、制御信号用の低速インターフェースも配備されてはいるが、その低速インターフェースの方は低速動作のため、少し汚れていたとしても正常に動作し、上記理由により高速インターフェースの方に汚れによる接触不良が多く発生するとして以降説明する。
【００２０】
まず構成を説明する。
【００２１】
図１に示すカメラ本体１ｂの中央には、多数のマウント接点を持つマウント部１０ｂが配備されており、またカメラヘッド１ａ側にも同様のマウント部が配備されている。双方のマウント部内の多数のマウント接点の位置がそれぞれあうように図中の一点鎖線に沿ってカメラヘッド１ａがカメラ本体１ｂに装着されると、多数のマウント接点同士が各々接続されてカメラヘッド１ａとカメラ本体１ｂとが電気的に接続されてこのカメラシステムは動作可能な状態になる。
【００２２】
この多数のマウント接点の中のそれぞれが通信用、電力供給用にそれぞれ割り当てられていてカメラ本体１ｂ側からカメラヘッド１ａ側への通信が行なわれたり、またカメラヘッド１ａ側からカメラ本体１ｂ側への通信が行なわれたり、さらにカメラ本体１ｂ側からカメラヘッド１ａ側への電力の供給が行なわれたりする。これらのマウント接点の中には、双方が備えるインターフェースに対応する接点やレリーズ信号をカメラ本体からカメラヘッドへ供給するための２本の専用線に対応する接点等がある。
【００２３】
このヘッドマウント１０ｂの上方にはＡＷＢセンサ１１ｂが配備され、そのＡＷＢセンサ１１ｂにより撮影時の光源種が検出される。この光源種とは、例えば太陽光であるか蛍光灯であるかといったようなものであり、この光源種がＡＷＢセンサ１１ｂにより検出され後述するデジタル信号処理部に適正な色温度（例えば太陽光の場合には６０００Ｋ、蛍光灯の場合には４５００Ｋ）が設定されて最適なホワイトバランスの調整が行なわれる。そのＡＷＢセンサ１１ｂの横には、閃光発光窓１２ｂが配備されており、カメラ本体１ｂ内にはその閃光発光窓１２ｂを通して閃光を発光する閃光発光部１２０ｂが配備されている。さらにカメラ本体１ｂのボディ上面にはレリーズ釦１３ｂとモードダイヤル１４ｂが配備されている。このモードダイヤル１４ｂによって撮影モードと再生モードとが選択され、その撮影モードにあっては、さらに静止画撮影モードであるとか、動画撮影モードであるとかが選択される。なお、モードダイヤル１４ｂには一体的に電源スイッチも配備されており、そのモードダイヤル１４ｂの操作により電源が投入されるようになっている。
【００２４】
ここで図２を参照してカメラヘッド１ａとカメラ本体１ｂの内部の構成を説明する。
【００２５】
図２はカメラヘッド１ａがカメラ本体１ｂに装着された状態にあるときの電気系統の構成を示すブロック図である。
【００２６】
図２の上方側にはカメラヘッド１ａの構成が、また図２の下方側にはカメラ本体１ｂの構成がそれぞれ示されている。
【００２７】
カメラヘッド１ａとカメラ本体１ｂとの双方の内部構成を説明する前に、このカメラシステム１を動作させるための電力供給源であるバッテリ廻りの構成を説明しておく。
【００２８】
本実施形態のカメラシステム１は、カメラ本体が備えるバッテリＢｔからの電力の供給を受けてカメラ本体１ｂ並びにカメラヘッド１ａが動作するものである。
【００２９】
この例においては、カメラ本体１ｂの動作を統括的に制御する本体ＣＰＵ１００ｂに対してカメラヘッド１ａが装着されたことを通知することができるようにするため、上記電源制御部１４０ｂがラッチ部１６０ｂの内容を書き換えることによりそのラッチ部１６０ｂに接続されている本体ＣＰＵ１００ｂ側のＩ／Ｏ部１６１ｂの内容を書き換えて本体ＣＰＵ１００ｂにカメラヘッド１ａが装着されたことを通知するような構成としている。
【００３０】
このような構成にしておくと、本体ＣＰＵ１００ｂは、Ｉ／Ｏ部１６１ｂの内容が書き換えられたことによりカメラヘッド１ａがカメラ本体に装着されたことを検知したときに３線シリアルドライバ１５１ｂを制御して３線シリアルインターフェースを用いてヘッドＣＰＵ１９ａにテスト信号の送信要求を行なうことができ、さらにその送信要求を受けた、カメラヘッド１ａ側のヘッドＣＰＵ１９ａに信号切替部１１１の切替を行なわせることによりテスト信号発生部１１０からのテスト信号を信号切替部１１１・高速シリアルドライバ１５０ａを通してカメラ本体１ｂ側へ供給させることができる。そうすると、カメラヘッド１ａがカメラ本体１ｂに装着されたときに高速シリアルドライバ１５０ｂにより駆動される、マウント部内の画像転送用の高速インターフェースが持つ接点のチェックを行なうことができる。この例においては本体ＣＰＵ１００ｂが本発明にいう判定部にあたり、カメラ本体１ｂ側の高速シリアルドライバ１５０ｂが本発明にいう受信部にあたる。
【００３１】
このチェックによって高速シリアルインターフェースが持つ多数の接点に接触不良が検出されず、しかも電源投入時のモードが撮影モードであった場合には、本体ＣＰＵ１００ｂは次にスルー画の送信要求をカメラヘッド１ａに向けて送信することができ、その送信要求を受けたヘッドＣＰＵ１９ａに絞り／フォーカス／ズーム制御部１７ａを制御させて撮像素子（ここではＣＣＤ固体撮像素子が用いられているので以降ＣＣＤという）１２ａに所定のフレームレートでスルー画を表わす画像信号の生成を開始させることができる。
【００３２】
また、装着時の接点チェックにより接触不良が検出された場合には、本体ＣＰＵ１００ｂが、ＬＣＤ制御部１０５ｂにＬＣＤ１０５０ｂを制御させてＬＣＤが備えるパネル上に‘クリーニングして下さい’などの警告表示を行なわせることによりユーザにクリーニングを促す様にしている。この促しに応じてクリーニングがなされた後再度カメラヘッドが装着されたときには再度テスト信号による接点チェックが行なわれるようにもなっている。この本体ＣＰＵ１００ｂとＬＣＤ制御部１０５ｂとＬＣＤ１０５０ｂとが本発明にいう通知部にあたる。
【００３３】
このようなカメラ本体１ｂ側のバッテリＢｔからカメラ本体１ｂおよびカメラヘッド１ａに電力が供給されて動作するカメラシステムの構成および動作を詳細に説明する。
【００３４】
図２に示すようにこのカメラシステム１を構成するカメラヘッド１ａには、撮影光学系１１ａとＣＣＤ１２ａとが備えられている。その撮影光学系１１ａ内には撮影レンズや絞りなどが配備され、その絞りを所定の開口にしておいてその撮影レンズにより被写体をＣＣＤ１２ａに結像させている。
【００３５】
ヘッドＣＰＵ１９ａは、前述したようにカメラヘッド１ａがカメラ本体１ｂに装着されたときにカメラ本体１ｂ側から３線シリアルインターフェースを介して送信されてきたテスト信号の送信要求を受けて信号切替部１１１の切り替えを行なって、信号切替部１１１、さらに高速シリアルドライバ１５０ａにより駆動される高速インターフェースを通してテスト信号発生部１１０にカメラ本体へのテスト信号の供給を行なわせている。このテスト信号の供給によりカメラ本体１ｂ側で接点チェックが行なわれて接触不良が検出されなかったときには次にスルー画の送信要求を受け取って絞り／フォーカス／ズーム制御部１７ａに指示してＣＣＤ１２ａの駆動モードをまずスルー画モードに切り替えさせる。さらにＴＧ１８ａにもスルー画モードを設定してＴＧ１８ａに１／３０ｓのフレームレートでＣＣＤ１２ａを駆動させてスルー画信号を出力させるようにしている。こうしてＣＣＤ１２ａに生成させたスルー画信号を１／３０ｓごとのフレームレートでアナログ信号処理部１３ａに出力させ、さらにそのアナログ信号処理部１３ａにノイズ低減の処理などを行なわせた後、後段のＡ／Ｄ部１４ａにアナログのスルー画信号をデジタルのスルー画信号に変換させて高速シリアルドライバ１５０ａに供給させている。この高速シリアルドライバ１５０ａにより駆動される高速シリアルインターフェースによってカメラ１ｂ本体側にデジタル信号になったスルー画信号が送信される。勿論、この高速シリアルインターフェースを駆動する高速シリアルドライバ１５０ｂがカメラ本体１ｂ側にも配備されているので双方のドライバによって高速シリアルインターフェースが駆動され画像信号の送信が行なわれる。その高速シリアルインターフェースを通ってカメラ本体１ｂに供給される画像信号の中には、モードダイヤル１４ｂによっていずれかの撮影モードが選択された状態にあるときに撮影光学系内の撮影レンズが捉えた被写体をＬＣＤパネル（図示せず）上に表示するための上記スルー画信号やその撮影モードの中の静止画撮影モードが選択された状態にあるときにレリーズ釦１３ｂの操作により得られる静止画像を表す画像信号（以下静止画信号という）やその撮影モードの中の動画モードが選択された状態にあるときにレリーズ釦１３ｂの操作により得られる動画を表す画像信号（以下動画信号という）の３通りの画像信号がある。これらの画像信号のうちのいずれかがカメラ本体１ｂ側からの要求によって高速シリアルインターフェースを通ってカメラ本体側に送信される。
【００３６】
一方、Ａ／Ｄ部１４ａでデジタル信号に変換された画像信号はＡ／Ｄ部１４ａの後段に設けられた積算回路１６ａにも供給されている。この積算回路１６ａは測光機能（以下ＡＥという）および測距機能（以下ＡＦという）を果たすものであって、この積算回路１６ａのＡＥにより被写界輝度が測定され、またＡＦにより被写体距離が測定される。
【００３７】
このようにして積算回路１６ａで被写体距離や被写界輝度が測定され、その測定結果がデータバス１９２ａを介して絞り／フォーカス／ズーム制御部１７ａに供給され、その絞り／フォーカス／ズーム制御部１７ａによって撮影光学系内の絞りの径が調節されたり、撮影光学系内のフォーカスレンズの位置が調節されたりする。このようにしておくとこのカメラヘッド１ａが備える撮影光学系内のレンズが異なる被写体に向けられる度に積算回路内のＡＦやＡＥが働いてピントや輝度の調整が行なわれてピントの合った被写体を表す画像データがＣＣＤ１２ａで生成されＣＣＤ１２ａから出力されるようになる。
【００３８】
なお、上記ヘッドＣＰＵ１９ａは、システムメモリ１９０ａ内に格納されているプログラムの手順にしたがってＴＧ１８ａや絞り／フォーカス／ズーム制御部１７ａなどの制御を行なうものであって、そのシステムメモリ１９０ａ内には、初期化の処理手順（上記インターフェースの接点チェックを含む）やＡＥ処理やＡＦ処理についての処理手順やシリアルインターフェースでの通信についての処理手順などを示すソフトウエアが格納されている。このソフトウエアの中には、モードダイヤルによって撮影モードが選択され、さらに静止画撮影モードが選択されたときに起動されるスルー画表示の処理に関するソフトウエアや静止画処理に関するソフトウエア、また動画撮影モードが選択されたときに起動される動画処理に関するソフトウエアなどもある。これらの処理手順にしたがって、このカメラヘッドの初期化や、その初期化が行なわれた後の各部の信号処理動作がヘッドＣＰＵ１９ａによって制御されている。この各部の動作の中には、前述の接点チェックの動作や積算回路１６ａの動作やＴＧ１８ａの動作や不揮発性メモリ１９１ａのリードライト動作や３線シリアルドライバ１５１ａの動作や高速シリアルドライバ１５０ａの動作などもある。
【００３９】
また、不揮発性メモリ１９１ａには、カメラヘッド１ａ用のコンフィギュレーション情報および信号処理ソフトウエアも記憶されている。カメラ本体１ｂからコンフィギュレーション情報の送信の要求を表すコマンドが３線シリアルインターフェースを経由して送信されてきたら、その不揮発性メモリ１９１ａ内のコンフィギュレーション情報および信号処理ソフトウエアが３線シリアルインターフェースを経由してカメラ本体１ｂに送信される。
【００４０】
また上記３線シリアルインターフェースは、撮影時にカメラ本体１ｂとカメラヘッド１ａとの間のコマンドのやり取りを行うものでもあって、例えばカメラ本体１ｂから画像信号（スルー画信号、静止画信号、動画信号のうちのいずれか）の送信の要求に対応するコマンドがその３線シリアルインターフェースを経由して送信されてきたら、その３線シリアルインターフェースよりも高速の高速シリアルインターフェースによってデジタル信号になった画像信号（スルー画信号、静止画信号、動画信号のうちのいずれか）がカメラ本体１ｂへ送信される。
【００４１】
このようなカメラヘッド１ａがカメラ本体１ｂに装着されてカメラシステム１が構成されそのカメラシステム１で撮影が行なわれる。
【００４２】
ここからはカメラヘッド１ａがカメラ本体１ｂに装着された状態にあるときのカメラ本体１ｂの動作の方を説明する。
【００４３】
カメラ本体１ｂの動作はカメラヘッド側と同様にシステムメモリ１０１ｂ内のプログラムの手順にしたがって本体ＣＰＵ１００ｂによって統括的に制御されている。この本体ＣＰＵ１００ｂにより制御されているカメラ本体１ｂに上記カメラヘッド１ａが装着され電源が投入されたら、本体ＣＰＵ１００ｂが制御可能な状態に遷移するとともにヘッドＣＰＵ１９ａも制御可能な状態に遷移することによってこのカメラシステム１全体の動作が制御されるようになる。
【００４４】
この実施形態のカメラシステム１では、前述したようにカメラ本体側のバッテリＢｔからカメラヘッド１ａとカメラ本体１ｂとも電力が供給されたら、まず、本体ＣＰＵ１００ｂが３線シリアルドライバ１５１ｂを制御してカメラヘッド側にテスト信号の送信要求が行なわれる。その送信要求に応えてテスト信号が送信されてきたら、高速シリアルドライバ１５０ｂ、バスを介して本体ＣＰＵ１００ｂがそのテスト信号を受け取って、そのテスト信号が例えば不揮発性メモリ１０２ｂ内にあるテスト信号と同一であるかどうかの判定が行なわれる。ここで同一であると判定されたら高速シリアルドライバ１５０ａにより駆動されるインターフェースが正常に機能しているとして、次にスルー画信号の送信の要求を表すコマンドが３線シリアルドライバ１５１ｂにより駆動される３線シリアルインターフェースを通してカメラヘッド１ａに送信される。そのスルー画の送信の要求を受けて、カメラヘッド側のヘッドＣＰＵ１９ａは、絞り／フォーカス／ズーム制御部１７ａに指示してＣＣＤ１２ａおよびタイミングジェネレータ１８ａの駆動モードをスルー画モードへと切り替させる。そのスルー画駆動モードへ切り替えさせた後、ＴＧ１８ａからのタイミング信号にしたがってスルー画信号が高速シリアルドライバ１５０ａ，１５０ｂによって駆動される高速シリアルインターフェースを通してカメラ本体１ｂへ次々と送信される。
【００４５】
この高速シリアルインターフェースを通ってカメラ本体１ｂに次々と送信されてくるスルー画信号が、デジタル信号処理部１０３ｂに供給され、このデジタル信号処理部１０３ｂによってカメラヘッドのコンフィギュレーション情報に応じた信号処理が次々と施された後、フレームメモリ１０４ｂに順次記憶されていく。このフレームメモリ１０４ｂに所定のフレームレートで記憶されていくＹＣ信号がＬＣＤ制御部１０５ｂに次々と供給され、そのＬＣＤ制御部１０５ｂによってＬＣＤ１０５０ｂのパネル上に所定の間隔ごと（例えば３３ｍｓごと）にスルー画像が切り替えられて表示される。
【００４６】
ここで、ＬＣＤ１０５０ｂの表示画面上のスルー画を見ながらユーザによってレリーズ釦１３ｂが押されたときには、本体ＣＰＵ１００ｂにレリーズ信号が供給されるとともに、ヘッドＣＰＵ１９ａにもレリーズ信号が供給される。このカメラシステムを構成するカメラ本体１ｂが備えるレリーズ釦１３ｂは、半押し、全押しの２つの操作態様を持つものであるので、半押しに応じてヘッドＣＰＵ１９ａは、ＣＣＤ１２ａおよびＴＧ１８ａの駆動モードをＡＥモードさらにＡＦモードと順次切り替えていき、ＴＧ１８ａからＣＣＤ１２ａにそれらのモードに応じたタイミング信号を供給させることにより積算回路１６ａに向けて高速フレームレートで画像信号の出力を行わせている。このようにすると、高速のフレームレートで数多くのフレーム画像の画像信号を積算回路に供給させることができるようになるので積算回路に短時間のうちに測光や測距を完了させることができるようになる。
【００４７】
また、全押しに応じてはＣＣＤ１２ａに露光を開始させた後、さらにＣＣＤ１２ａおよびＴＧ１８ａを全画素読出モードに切り替えておいて、所定の秒時が経過した後、ＴＧ１８ａに露光終了信号および全画素読出用の駆動信号を供給させるようにもしている。
【００４８】
このようにしてＣＣＤ１２ａから読み出された画像信号が高速シリアルインターフェースを経由してカメラ本体１ｂのデジタル信号処理部１０３ｂに供給されデジタル信号処理部で画像信号に所定の処理が施された後、カードＩ／Ｆ１０６ｂによってメモリカードスロット１０７ｂ内のメモリカード１０８ｂに所定の処理が施された画像信号が記録される。
【００４９】
なお、図２には、ＡＥモード時の測光により被写界が暗いと判定されたときに閃光を発する閃光部１２１ｂとその閃光を発する閃光制御部１２０ｂも図示されており、他にＡＷＢセンサ１１ｂや、計時用のタイマ１１０ｂやカレンダ時計部１１１ｂなども図示されている。また、プログラムが記憶されているシステムメモリの中にカメラヘッド側と同様、初期化処理の手順を示すプログラムや図示しないメニューボタン等の操作により接点チェックを実行する接点チェックモードに関するプログラム等の記述もある。
【００５０】
図３は、本体ＣＰＵ１００ｂが行なう接点チェック処理の手順を示すフローチャートである。
【００５１】
カメラヘッド１ａがカメラ本体１ｂに装着されたとき、また操作により選択メニューにより接点チェックモードが指定されたときにこのフローの処理が開始される。
【００５２】
この例においては、カメラヘッド１ａがカメラ本体１ｂに装着されたときに接点チェックモードの記述も含む初期化プログラムが起動されその初期化プログラム中の接点チェックモードにまで初期化処理が進んだときにステップＳ３０１以降の処理が行なわれるして以降説明する。
【００５３】
まずステップＳ３０１で接点チェックモードまで初期化が進んでいてＹｅｓと判定されたら、次のステップＳ３０２へ進んでステップＳ３０２で３線シリアルインターフェースを制御してテスト信号の送信要求を示すコードをカメラヘッド１ａへ送信する。
【００５４】
その送信要求を示すコードを受けてカメラヘッド側のヘッドＣＰＵ１９ａが信号切替部１１１をテスト信号発生部１１０側に切り替えてカメラ本体１ｂ側にテスト信号が供給されてきたら、そのテスト信号を高速シリアルドライバ１５０ｂ、バス１００ｂを介して受け取って次のステップＳ３０３へ進む。このステップＳ３０３でエラー有りと判定したらＹｅｓ側へ進み、ＬＣＤパネル上にクリーニングが必要である旨の表示を行なう。このステップＳ３０３でエラー無しと判定したらＮｏ側へ進みステップＳでエラー無し表示を行なう。
【００５５】
このようにカメラヘッド１ａがカメラ本体１ｂに装着されたときに接点チェックが行なわれるようになると、カメラヘッドの交換操作を行なっている最中にクリーニングを促すことができる。また、このカメラシステムでは、操作により接点チェックモードを指定することができる構成にもなっているので、選択メニューにより接点チェックモードを指定することによっていつでも上記フローの処理を実行することもできる。
【００５６】
すなわち、カメラヘッドがカメラ本体に装着されたとき、または使用中においても接続用の接点チェックが行なえるとともに、ユーザに対しクリーニングを促すことができるカメラシステムが実現される。
【００５７】
図４は、別の実施形態を説明する図である。
【００５８】
図４には、図１に示すカメラヘッド１ａ〜ｎａの中の例えばカメラヘッドｎａがテスト信号発生部１１０に該当するものを有しないものであった場合には接点チェックが行なえないのでそのような場合にも対応することができるように判定ステップＳ４０２を付加した場合の例が示されている。
【００５９】
ここでは、まずステップＳ４０１で、カメラヘッドとの間で３線シリアルインターフェースを用いてパラメータ通信を行なっている。このパラメータ通信というのは、カメラヘッド側の能力を示すパラメータをカメラ本体側で読み取ってカメラヘッドの能力がどの程度のものであるかを把握するために行なわれる通信のことを指す。このフローにおいては次のステップＳ４０２で通信により得たパラメータの中に接点チェックモードに関するパラメータがあるかどうかを判定するようにしている。
【００６０】
このステップＳ４０２で、接点チェックモードがあると判定したら、ステップＳ４０３からステップＳ４０６で図３のステップＳ３０２からステップＳ３０５までの処理と同様の処理を行なう。このステップＳ４０２で接点チェックモードがないと判定したら、Ｎｏ側へ進み電源オフしてこのフローの処理を終了する。
【００６１】
このようにしておくと、テスト信号発生部１１０を持たないカメラヘッド１ｎに関しては接点チェックモードが実行されなくなり、接点チェックモードを実行しようとして実行エラーが発生するようなことが防止される。またこのようにテスト信号発生部を持たないカメラヘッドがカメラ本体に装着された場合には、装着後の撮影時に画像データの受信状態に応じて表示画面上にクリーニングを促す表示を行なうようなことが行なえる。
【００６２】
以上説明したように、カメラヘッドがカメラ本体に装着されたとき、および使用中においても接続用の接点チェックが行なえるとともに、ユーザに対しクリーニングを促すことができるカメラシステムが実現される。
【図面の簡単な説明】
【００６３】
【図１】本発明の一実施形態であるカメラシステムを示す図である。
【図２】カメラヘッド１ａがカメラ本体１ｂに装着された状態にあるときの電気系統の構成を示すブロック図である。
【図３】本体ＣＰＵが行なう接点チェックの処理手順を示すフローチャートである。
【図４】別の実施形態である。
【符号の説明】
【００６４】
１  カメラシステム
１Ａ  １Ｂ  １Ｃ    専用線
１ａ  カメラヘッド
１００ａ    電源制御部
１０１ａ    ＤＣ／ＤＣコンバータ
１１ａ    撮影光学系
１２ａ    ＣＣＤ
１３ａ    アナログ信号処理部
１４ａ    Ａ／Ｄ部
１５０ａ    高速シリアルドライバ
１５１ａ    ３線シリアルドライバ
１６ａ    積算回路
１７ａ    絞り／フォーカス／ズーム制御部
１８ａ    ＴＧ
１９ａ    ヘッドＣＰＵ
１１０    信号切替部
１１１    テスト信号発生部
１９０ａ    システムメモリ（ＲＯＭ／ＲＡＭ）
１９１ａ    不揮発性メモリ
１９２ａ    データバス
１ｂ    カメラ本体
１０ｂ    ヘッドマウント
１００ｂ    本体ＣＰＵ
１０１ｂ    システムメモリ
１０２ｂ    不揮発性メモリ
１０３ｂ    デジタル信号処理部
１０４ｂ    フレームメモリ
１０５ｂ    ＬＣＤ制御部
１０５０ｂ    ＬＣＤ
１０６ｂ    カードＩ／Ｆ
１０７ｂ    メモリカードスロット
１０８ｂ    メモリカード
１５０ｂ    高速シリアルドライバ
１５１ｂ    ３線シリアルドライバ
【図１】
2006261989.tif 000003
【図２】
2006261989.tif 000004
【図３】
2006261989.tif 000005
【図４】
2006261989.tif 000006